(57)【要約】【課題】本発明は、ハンドルの操作性が向上するとともに、ハンドル回りに釣糸や衣類が引っ掛かり難くなり、しかもコンパクトな魚釣用リールを得ることにある。【解決手段】魚釣用リール(1)は、リール本体(2)に回転自在に支持されるとともに、リール本体(2)の一側外方に突出する先端部(22a)を有するハンドル軸(22)と、ハンドル軸(22)の先端部(22a)に固定され、ハンドル軸(22)を人為的に回転させるハンドル(50)とを備えている。ハンドル(50)は、ハンドル軸(22)の先端部(22a)が相対的に回転不能に貫通する嵌合孔(53)を有し、ハンドル軸(22)は、先端部(22a)の端面(29)に開口するねじ孔(30)を有している。ねじ孔(30)にハンドル軸(22)よりも大径な頭部(62)を含む雄ねじ部材(60)がねじ込まれている。雄ねじ部材(60)の頭部(62)は、ハンドル軸(22)との間でハンドル(50)を挟み込んで固定している。【選択図】      図１
2007117045.tif 000002
【特許請求の範囲】
【請求項１】
リール本体に回転自在に支持されるとともに、上記リール本体の一側外方に突出する先端部を有するハンドル軸と、
上記ハンドル軸の先端部に固定され、上記ハンドル軸を人為的に回転させるハンドルと、を具備し、
上記ハンドルは、上記ハンドル軸の先端部が相対的に回転不能に嵌合する嵌合部を有するとともに、上記ハンドル軸は、上記先端部の端面に開口するねじ孔を有し、このねじ孔に上記ハンドル軸よりも大径な頭部を含む雄ねじ部材をねじ込むことにより、上記雄ねじ部材の頭部と上記ハンドル軸との間で上記ハンドルを挟み込んで固定したことを特徴とする魚釣用リール。
【請求項２】
請求項１の記載において、上記ハンドルは、上記リール本体の反対側に位置する外側面を有し、この外側面に上記雄ねじ部材の頭部の少なくとも一部が入り込む凹部を形成したことを特徴とする魚釣用リール。
【請求項３】
請求項２の記載において、上記ハンドル軸は、その先端部の外周面に径方向に沿う段差部を有し、上記ハンドルは、上記雄ねじ部材の頭部と上記段差部との間で挟み込まれることを特徴とする魚釣用リール。
【発明の詳細な説明】
【技術分野】
【０００１】
本発明は、リール本体から突出するハンドル軸の先端部に、スプールを人為的に回転させるハンドルを固定した魚釣用リールに関する。
【背景技術】
【０００２】
リール本体に回転自在に支持されたスプールを有する両軸受タイプの魚釣用リールは、スプールを手動操作により回転させるハンドルを備えている。
【０００３】
ハンドルは、ハンドルアームと、このハンドルアームの端部に取り付けられた握り部とを有している。ハンドルアームは、リール本体の一側部から外方に突出するハンドル軸の先端部に固定されている。そのため、握り部を手で握ってハンドルアームを回すと、ハンドル軸が回転するとともに、このハンドル軸の回転がスプールに伝わり、スプールが釣糸を巻き込む方向に回転するようになっている。
【０００４】
従来の魚釣用リールによると、ハンドル軸の先端部は、その他の部分よりも小径であり、この先端部の外周面に、雄ねじ部と、平行な二面を有する面取り部とが形成されている。ハンドルアームは、ハンドル軸の先端部が貫通する貫通孔を有し、この貫通孔にハンドル軸の面取り部が相対的に回転不能に嵌まり込んでいる。ハンドル軸の雄ねじ部は、貫通孔を通じてリール本体とは反対側に位置するハンドルアームの外側面から突出しており、この雄ねじ部の突出端に袋ナットをねじ込むことで、ハンドルアームをハンドル軸の先端部に締め付け固定している（例えば、特許文献１参照）。
【特許文献１】特開２００１−１４５４４６号公報
【発明の開示】
【発明が解決しようとする課題】
【０００５】
特許文献１に開示された魚釣用リールによると、ハンドルアームをハンドル軸に固定する袋ナットは、雄ねじ部の先端を覆い隠す袋部を有している。しかも、この種の袋ナットは、めねじのねじ先に不完全ねじ部やねじ下きり穴を有し、これら不完全ねじ部やねじ下きり穴が袋部の内側に位置している。
【０００６】
このため、袋ナットの袋部が必然的に雄ねじ部の軸方向に張り出すような形状となり、この袋ナットを用いてハンドルアームをハンドル軸の先端部に固定した時に、袋ナットの袋部がハンドルアームの外側面から大きく突出するのを避けられない。
【０００７】
この結果、例えば釣の最中に釣糸や衣類等が袋ナットに引っ掛かり易くなるとともに、ハンドルを手で回す時に、手の平や指が袋ナットと干渉することがあり、ハンドルの操作性が損なわれる。
【０００８】
さらに、ハンドル軸の先端部に袋ナットがねじ込まれる雄ねじ部を形成しなくてはならず、雄ねじ部の分だけハンドル軸の軸長が増大する。すると、ハンドル軸は、スプールの一側に片寄って位置するので、リール本体の左右方向の重量バランスが悪くなる。よって、魚釣時の操作性に悪影響を及ぼす虞があるとともに、魚釣用リールのコンパクト化の妨げとなるといった不具合がある。
【０００９】
本発明の目的は、ハンドルの操作性が向上するとともに、ハンドル回りに釣糸や衣類が引っ掛かり難くなり、しかもコンパクト化が可能となる魚釣用リールを得ることにある。
【課題を解決するための手段】
【００１０】
上記目的を達成するため、本発明の一つの形態に係る魚釣用リールは、  
リール本体に回転自在に支持されるとともに、上記リール本体の一側外方に突出する先端部を有するハンドル軸と、  
上記ハンドル軸の先端部に固定され、上記ハンドル軸を人為的に回転させるハンドルと、を備えている。  
上記ハンドルは、上記ハンドル軸の先端部が相対的に回転不能に嵌合する嵌合部を有するとともに、上記ハンドル軸は、上記先端部の端面に開口するねじ孔を有し、このねじ孔に上記ハンドル軸よりも大径な頭部を含む雄ねじ部材をねじ込むことにより、上記雄ねじ部材の頭部と上記ハンドル軸との間で上記ハンドルを挟み込んで固定したことを特徴としている。
【発明の効果】
【００１１】
本発明によれば、ハンドル軸に対する雄ねじ部材のねじ込み部分がハンドル軸の先端部の内部に収まるので、雄ねじ部材のうちハンドルの外側に位置するのは頭部のみとなる。そのため、頭部を薄く形成することで、ハンドルからの頭部の突出量を少なくできる。  
したがって、ハンドルを手で回す時に、手の平や指が雄ねじ部材と干渉し難くなり、ハンドルの操作性が向上するとともに、雄ねじ部材に釣糸や衣類等が引っ掛かり難くなる。
【００１２】
さらに、ハンドル軸の先端部がハンドルの外側に大きく突出することはなく、その分、ハンドル軸の軸長が短く抑えられる。よって、魚釣用リールのコンパクト化が可能となるとともに、魚釣用リールの左右方向の重量バランスが良好となる。
【発明を実施するための最良の形態】
【００１３】
以下本発明の第１の実施の形態を、図１ないし図５にもとづいて説明する。
【００１４】
図１は、両軸受タイプの魚釣用リール１を開示している。魚釣用リール１は、金属製のリール本体２を備えている。リール本体２は、リール脚３を介して図示しない釣竿に固定される。
【００１５】
リール本体２は、左右一対のフレーム４ａ，４ｂと、第１および第２のサイドカバー５ａ，５ｂとを有している。フレーム４ａ，４ｂは、連結部材６を介して連結されているとともに、魚釣用リール１の幅方向に互いに間隔を存して向かい合っている。
【００１６】
第１のサイドカバー５ａは、左側のフレーム４ａに公知のねじ部材を介して着脱可能に取り付けられて、このフレーム４ａを左側方から覆っている。第２のサイドカバー５ｂも第１のサイドカバー５ａと同様の固定手段により右側のフレーム４ｂに着脱可能に取り付けられている。第２のサイドカバー５ｂは、フレーム４ｂを右側方から覆うとともに、このフレーム４ｂとの間に動力伝達室７を形成している。
【００１７】
リール本体２は、釣糸を巻き取るスプール８を回転自在に支持している。スプール８は、フレーム４ａ，４ｂの間に架け渡されるスプール軸９を有している。スプール軸９は、その一端がボール軸受１０を介してフレーム４ａに回転自在に支持されているとともに、他端が他のボール軸受１１を介してフレーム４ｂに回転自在に支持されている。このスプール軸９は、スプール８と一緒に回転するようになっている。
【００１８】
スプール９の前方にレベルワインド機構１３が配置されている。レベルワインド機構１３は、フレーム４ａ，４ｂの間に跨る筒体１４と、この筒体１４の内側に回転自在に挿通されたウォーム軸１５と、釣糸を通すガイド部材１６とを備えている。
【００１９】
ウォーム軸１５は、外周面にトラバース溝１７を有するとともに、その一端が動力伝達室７に導かれている。このウォーム軸１５の一端にアイドルギヤ１８が固定されている。ガイド部材１６は、筒体１４の外周面上に左右方向に摺動可能に支持されているとともに、ウォーム軸１５が回転した時に、トラバース溝１７の動きに追従してスプール８の軸方向に直線的に往復移動するようになっている。このため、釣糸は、ガイド部材１６の移動によりスプール８の上に均等に巻き取られる。
【００２０】
図１に示すように、リール本体２の動力伝達室７は、ピニオン軸２０、クラッチ機構２１およびハンドル軸２２を収容している。
【００２１】
ピニオン軸２０は、スプール軸９と同軸状に配置されている。ピニオン軸２０の外周面の上にピニオンギヤ２３が装着されている。ピニオンギヤ２３は、その一端がボール軸受２４を介してフレーム４ｂに回転自在に支持されているとともに、他端が他のボール軸受２５を介して第２のサイドカバー５ｂに回転自在に支持されている。
【００２２】
さらに、ピニオンギヤ２３は、係合位置と係合解除位置との間でピニオン軸２０の軸方向に移動可能となっている。係合位置では、ピニオンギヤ２３の一端がスプール軸９に係合し、ピニオンギヤ２３とスプール軸９とが一体的に回転する。係合解除位置では、ピニオンギヤ２３の一端がスプール軸９から離脱し、ピニオンギヤ２３とスプール軸９とが互いに切り離される。
【００２３】
クラッチ機構２１は、ピニオンギヤ２３を係合位置と係合解除位置との間で移動させるためのものである。クラッチ機構２１は、ピニオンギヤ２３の一端に係合するクラッチプレート２７を有している。クラッチプレート２７は、クラッチ機構２１がＯＮの時にピニオンギヤ２３を係合位置に移動させるとともに、クラッチ機構２１がＯＦＦの時にピニオンギヤ２３を係合解除位置に移動させる。
【００２４】
ハンドル軸２２は、スプール８の右側方においてピニオン軸２０と平行に配置されている。ハンドル軸２２は、第２のサイドカバー５ｂに形成した円筒状の凸部２８を同軸状に貫通しており、その先端部２２ａが凸部２８を通じてリール本体２の一側部から外方に突出している。図２に最もよく示されるように、ハンドル軸２２の先端部２２ａは、リール本体２とは反対側においてリール本体２の外側に露出する端面２９と、この端面２９に開口するねじ孔３０とを有している。
【００２５】
ハンドル軸２２は、先端部２２ａに隣接する部分がボール軸受３１を介して凸部２８の開口端に回転自在に支持されているとともに、先端部２２ａとは反対側に位置する基端部２２ｂが他のボール軸受３２を介してフレーム４ｂに回転自在に支持されている。
【００２６】
本実施の形態では、ハンドル軸２２と凸部２８の内面との間に一方向クラッチ３３が介在されている。一方向クラッチ３３は、ハンドル軸２２が釣糸を巻き取る方向にのみ回転するように、ハンドル軸２２の回転方向を規定している。
【００２７】
図２に示すように、ハンドル軸２２の先端部２２ａの外周面に雄ねじ部３４が形成されている。さらに、ハンドル軸２２の外周面には、回り止め用の第１および第２の二面幅部３５，３６が形成されている。
【００２８】
図４に示すように、第１の二面幅部３５は、互いに平行をなす一対の平面３５ａ，３５ｂを有するとともに、ハンドル軸２２の中間部から先端部２２ａの途中に至る領域に位置している。第２の二面幅部３６は、互いに平行をなす一対の平面３６ａ，３６ｂを有するとともに、ハンドル軸２２の先端部２２ａに位置している。よって、ハンドル軸２２の先端部２２ａは、例えば小判形のような非円形の断面形状を有している。
【００２９】
図３および図４に示すように、第２の二面幅部３６の平面３６ａ，３６ｂの間隔Ｌ１は、第１の二面幅部３５の平面３５ａ，３５ｂの間隔Ｌ２よりも小さく形成されている。この結果、第１の二面幅部３５と第２の二面幅部３６との境界部分には、ハンドル軸２２の径方向に延びる一対の段差部３７ａ，３７ｂが形成されている。段差部３７ａ，３７ｂは、ハンドル軸２２の先端部２２ａに位置している。
【００３０】
図１に示すように、ハンドル軸２２に第１の駆動ギヤ３９と第２の駆動ギヤ４０が回転自在に支持されている。第１の駆動ギヤ３９は、常にピニオンギヤ２３と噛合っている。第２の駆動ギヤ４０は、第１の駆動ギヤ３９と隣り合うとともに、常に第１の駆動ギヤ３９と一緒に回転するようになっている。第２の駆動ギヤ４０は、上記レベルワインド機構１３のアイドルギヤ１８と噛合っている。
【００３１】
第１の駆動ギヤ３９は、第２のサイドカバー５ｂに向けて同軸状に開口する凹部４１を有している。この凹部４１の内側にドラグ機構４２が収容されている。
【００３２】
ドラグ機構４２は、釣糸に一定限度以上の荷重が加わった時に、スプール８を空転させるためのものである。ドラグ機構４２は、第１の駆動ギヤ３９と一緒に回転する複数の金属ワッシャと、ハンドル軸２２と一緒に回転する複数の金属ワッシャとを交互に配置するとともに、隣り合う金属ワッシャの間にライニング材を介在させた構成となっている。
【００３３】
さらに、ドラグ機構４２は、ドラグ力を調整するスタードラグ４４を備えている。スタードラグ４４は、第２のサイドカバー５ｂの凸部２８から突出するハンドル軸２２の先端部２２ａに取り付けられている。スタードラグ４４は、ハンドル軸２２の雄ねじ部３４にねじ込まれる雌ねじ部４４ａを有するボス部４５と、このボス部４５の外周面から放射状に突出する複数のレバー部４６とを備えている。
【００３４】
ボス部４５の端面は、ボール軸受３１のインナレースに当接するとともに、このインナレースと上記ドラグ機構４２との間に一対の皿ばね４７、上記一方向クラッチ３３および押圧プレート４８が介在されている。
【００３５】
このため、スタードラグ４４を手で回してそのボス部４５を第２のサイドカバー５ｂに近づく方向に移動させると、ボス部４５が皿ばね４７、一方向クラッチ３３の内輪３３ａおよび押圧プレート４８を介してドラグ機構４２の金属ワッシャおよびライニング材を押圧し、これら金属ワッシャおよびライニング材を第１の駆動ギヤ３９との間で挟み込む。
【００３６】
この結果、スタードラグ４４の変位量に応じてハンドル軸２２と第１の駆動ギヤ３９との間に生じる制動力（第１の駆動ギヤ３９の摩擦結合力）が変化し、スプール８が釣糸を繰り出す方向に逆転する時のドラグ力が定まる。
【００３７】
図１ないし図３に示すように、ハンドル軸２２の先端部２２ａにハンドル軸２２を回転させるハンドル５０が固定されている。ハンドル５０は、ハンドルアーム５１と、このハンドルアーム５１の一端および他端に取り付けられた握り部５２ａ，５２ｂとを備えている。
【００３８】
ハンドルアーム５１は、ハンドル軸２２と直交する方向に延びる帯板状をなしている。ハンドルアーム５１は、リール本体２と向い合う内側面５１ａと、リール本体２の反対側に位置する外側面５１ｂとを有している。
【００３９】
ハンドルアーム５１の長さ方向に中央部に嵌合孔５３が形成されている。嵌合孔５３は、嵌合部の一例である。この嵌合孔５３は、ハンドルアーム５１の内側面５１ａおよび外側面５１ｂに開口するとともに、図５に見られるようにハンドル軸２２の第２の二面幅部３６に対応するような非円形（小判形）の開口形状を有している。
【００４０】
このため、ハンドル軸２２の先端部２２ａをハンドルアーム５１の嵌合孔５３に嵌合すると、嵌合孔５３の開口縁部が第２の二面幅部３６の平面３６ａ，３６ｂに接触する。この接触により、ハンドル軸２２に対するハンドルアーム５１の回り止めがなされている。
【００４１】
さらに、ハンドル軸２２の先端部２２ａをハンドルアーム５１の嵌合孔５３に嵌合した状態では、ハンドルアーム５１の内側面５１ａがハンドル軸２２の段差部３７ａ，３７ｂに突き当たっている。
【００４２】
ハンドルアーム５１の外側面５１ｂの中央部に凹部５５が形成されている。凹部５５は、嵌合孔５３を取り囲んでいる。言い換えると、凹部５５は、ハンドルアーム５１の外側面５１ｂよりも落ち込んだ平坦な底面５６を有し、この底面５６に嵌合孔５３が開口している。
【００４３】
図５に示すように、凹部５５は、嵌合孔５３の周囲に位置する第１ないし第４の開口縁５７ａ〜５７ｄを有している。すなわち、第１および第２の開口縁５７ａ，５７ｂは、夫々円弧状に湾曲するとともに、嵌合孔５３を間に挟んで向かい合っている。第１の開口縁５７ａは、第２の開口縁５７ｂよりも曲率が小さく形成されている。第３および第４の開口縁５７ｃ，５７ｄは、第１の開口縁５７ａと第２の開口縁５７ｂとの間を直線状に結んでいる。そのため、本実施の形態の凹部５５は、略落涙形の開口形状を有している。
【００４４】
ハンドルアーム５１は、ボルト６０を介してハンドル軸２２の先端部２２ａに結合されている。ボルト６０は、雄ねじ部材の一例であり、おねじが形成された軸部６１と、この軸部６１の一端に位置する頭部６２とを有している。頭部６２の外周部は、ハンドル軸２２よりも大径な多角形状（八角形状）をなしている。
【００４５】
ボルト６０の軸部６１は、ハンドルアーム５１の外側面５１ｂの方向からハンドル軸２２のねじ孔３０にねじ込まれている。このねじ込みにより、ボルト６０の頭部６２が凹部５５の底面５６に接触し、図３に示すようにハンドルアーム５１の中央部をハンドル軸２２の段差部３７ａ，３７ｂとの間で挟み込んでいる。この結果、ハンドルアーム５１がハンドル軸２２との相対的な回転を禁止した状態でハンドル軸２２の先端部２２ａに固定されている。
【００４６】
ハンドルアーム５１をハンドル軸２２に固定した状態では、ボルト６０の頭部６２の一部が凹部５５に入り込んでいる。そのため、凹部５５の深さに相当する分だけ、ハンドルアーム５１の外側面５１ｂからの頭部６１の突出量が減じられている。
【００４７】
さらに、ハンドルアーム５１の凹部５５に回り止め部材６４が収容されている。回り止め部材６４は、凹部５５の開口形状に合致するような外形を有する金属板で構成され、止めねじ６５を介して凹部５５の底面５６に保持されている。回り止め部材６４は、凹部５５の深さに対応するような厚み寸法を有している。このため、回り止め部材６４は、見かけ上、凹部５５を埋めており、ハンドルアーム５１の外側面５１ｂと同一平面上に位置している。
【００４８】
回り止め部材６４は、ボルト６０の頭部６２の外周部が嵌合する八角形状の係止孔６６を有している。ボルト６０の頭部６２は、その外周に位置する八つの角部が係止孔６６の内面に引っ掛かっており、これによりボルト６０の緩み止めがなされている。
【００４９】
このような構成の魚釣用リール１において、釣人がハンドル５０を手で回すと、ハンドル軸２２が軸回り方向に回転する。このハンドル軸２２の回転運動は、ドラグ機構４２を介して第１および第２の駆動ギヤ３９，４０に伝わり、これら駆動ギヤ３９，４０と噛合うピニオンギヤ２３およびアイドルギヤ１８が回転する。
【００５０】
ピニオンギヤ２３は、クラッチ機構２１がＯＮの状態では、クラッチプレート２７によって係合位置に保持されている。そのため、ピニオンギヤ２３とスプール軸９が一緒に回転し、スプール８が釣糸を巻き取る方向に回転する。クラッチ機構２１がＯＦＦの状態では、スプール軸９とピニオンギヤ２３が互いに切り離され、スプール８がフリーとなる。
【００５１】
一方、アイドルギヤ１８の回転運動は、レベルワインド機構１３のウォーム軸１５に伝わり、このウォーム軸１５が回転する。この回転により、ガイド部材１６がトラバース溝１７の動きに追従してスプール８の軸方向に直線的に往復移動を繰り返し、釣糸がスプール８の上に均等に巻き取られる。
【００５２】
第１の実施の形態によると、ハンドル５０のハンドルアーム５１は、ボルト６０の頭部６２とハンドル軸２２の外周面上の段差部３７ａ，３７ｂとの間で挟み込むことで、ハンドル軸２２の先端部２２ａに固定されている。
【００５３】
ボルト６０の軸部６１は、ハンドル軸２２の端面２９に開口するねじ孔３０にねじ込まれているので、この軸部６１のねじ込み部分がハンドル軸２２の先端部２２ａの内部に収まっている。このため、ボルト６０のうちハンドルアーム５１の外側面５１ｂの上に位置するのは、頭部６２のみとなる。
【００５４】
言い換えると、ハンドル軸２２の先端部２２ａがハンドルアーム５１を貫通してリール本体２とは反対側に大きく張り出すことはなく、それ故、ボルト６０の頭部６２を薄く形成することで、ハンドルアーム５１の外側面５１ｂからの頭部６２の突出量を少なくできる。
【００５５】
特に本実施の形態では、ハンドルアーム５１の外側面５１ｂにボルト６０の頭部６２の一部が入り込む凹部５５を形成したので、この凹部５５の深さに相当する分、頭部６２の突出量がより少なくなる。
【００５６】
したがって、ハンドル５０を手で回す時に、手の平や指がボルト６０の頭部６２と干渉し難くなり、ハンドル５０の操作性が向上する。それとともに、釣の最中にボルト６０の頭部６２に釣糸や衣類が引っ掛かったり、絡み付くのを防止することができ、この点でもハンドル６０の操作性を高める上で有効に寄与する。
【００５７】
加えて、第１の実施の形態によると、ハンドル軸２２の先端部２２ａがハンドルアーム５１の外側面５１ｂから突出することはなく、従来との比較においてハンドル２２の全長を短く抑えることができる。よって、魚釣用リール１の幅寸法を減じることができ、この魚釣用リール１のコンパクト化が可能となるとともに、魚釣用リール１の左右方向の重量バランスが良好となるといった利点がある。
【００５８】
本発明は上記第１の実施の形態に特定されるものではなく、発明の主旨を逸脱しない範囲内で種々変更して実施可能である。
【００５９】
例えば、ボルトの頭部を凹部に収まるような厚み寸法を有する偏平な板状に形成し、頭部をハンドルアームの外側面と同一平面上に位置させるようにしてもよい。この構成によれば、ボルトの頭部がハンドルアームの外側面から突出せずに済み、ボルトの頭部に手の平や指が干渉したり、釣糸や衣類が引っ掛かることはない。
【００６０】
さらに、図６は、本発明の第２の実施の形態を開示している。
【００６１】
この第２の実施の形態は、ハンドアーム５１の中央部の形状が上記第１の実施の形態と相違している。これ以外の魚釣用リール１の構造は、基本的に第１の実施の形態と同様である。そのため、第２の実施の形態において、第１の実施の形態と同一の構成部分には同一の参照符号を付して、その説明を省略する。
【００６２】
図６に示すように、ハンドルアーム５１の外側面５１ｂの中央部は、凹みのない平坦な面７１となっている。ボルト６０の頭部６２は、ボルト６０の軸部６１をねじ孔３０にねじ込んだ時に平坦な面７１に接触し、この面７１とハンドル軸２２の段差部３７ａ，３７ｂとの間でハンドルアーム５１を挟み込んでいる。
【００６３】
さらに、回り止め部材６４にしても、ハンドルアーム５１の平坦な面７１に直接重ねられるとともに、この面７１に止めねじ６５を介して固定されている。
【００６４】
このような構成によると、ボルト６０とハンドル軸２２とのねじ込み部分がハンドル軸２２の先端部２２ａの内部に収まるので、ハンドルアーム５１の平坦な面７１の上に位置するのは、ボルト６０の頭部６２のみとなる。この結果、頭部６２を薄くすることで、ハンドルアーム５１の平坦な面７１からの頭部６２の突出量を少なくできる。
【００６５】
図７は、本発明の第３の実施の形態を開示している。
【００６６】
この第３の実施の形態は、回り止め部材６４の形状が上記第２の実施の形態と相違している。図７に示すように、回り止め部材６４は、ハンドルアーム５１の平坦な面７１に重なり合う第１の面８１と、この第１の面８１の反対側に位置する第２の面８２とを有している。第１の面８１は、平坦であり、この第１の面８１に嵌合凹部８３が形成されている。嵌合凹部８３は、ボルト６０の頭部６２に合致するような八角形状であり、この嵌合凹部８３の内面に頭部６２の角が引っ掛かることで、ボルト６０の回り止めをなしている。
【００６７】
第２の面８２は、滑らかな球面状に形成されているとともに、その外周縁がハンドルアーム５１の平坦な面７１に連なっている。
【００６８】
回り止め部材６４は、止めねじ６５を介してハンドルアーム５１の平坦な面７１に固定されている。止めねじ６５の頭部６５ａは、回り止め部材６４の第２の面８２に形成した凹部８４に収容されている。
【００６９】
このような構成によると、回り止め部材６４を利用してボルト６０の頭部６２を覆い隠すことができる。しかも、回り止め部材６４の第２の面８２は、球面状に湾曲しているので、ここに釣糸や衣類が引っ掛かり難くなる。
【図面の簡単な説明】
【００７０】
【図１】本発明の第１の実施の形態に係る魚釣用リールの断面図。
【図２】本発明の第１の実施の形態において、ハンドル軸とハンドルとの固定部分を拡大して示す魚釣用リールの断面図。
【図３】図２のF3−F3線に沿う断面図。
【図４】本発明の第１の実施の形態に係るハンドル軸の断面図。
【図５】本発明の第１の実施の形態において、ハンドル軸とハンドルとの固定部分を拡大して示す魚釣用リールの側面図。
【図６】本発明の第２の実施の形態において、ハンドル軸とハンドルとの固定部分を拡大して示す魚釣用リールの断面図。
【図７】本発明の第３の実施の形態において、ハンドル軸とハンドルとの固定部分を拡大して示す魚釣用リールの断面図。
【符号の説明】
【００７１】
２…リール本体、２２…ハンドル軸、２２ａ…先端部、２９…端面、３０…ねじ孔、５０…ハンドル、５３…嵌合部（嵌合孔）、６０…雄ねじ部材（ボルト）、６２…頭部。
【図１】
2007117045.tif 000003
【図２】
2007117045.tif 000004
【図３】
2007117045.tif 000005
【図４】
2007117045.tif 000006
【図５】
2007117045.tif 000007
【図６】
2007117045.tif 000008
【図７】
2007117045.tif 000009